(57)【要約】      （修正有）【課題】悪臭のもととなる排水経路や、汚れの気になる手乾燥室の底面部の清掃が容易な手乾燥装置を提供する。【解決手段】電動送風機７５が内蔵された箱状の本体ケーシング７１と、手を乾燥するため前記本体ケーシング７１内に設けられた手乾燥室７４と、前記手乾燥室７４内に手を挿入するため前記本体ケーシングの前面に開設された開口部７２と、前記電動送風機７５から送給される空気流を前記手乾燥室７４内に挿入された手に向かって吹き出すために設けられたノズル７６とを備えた手乾燥装置７０において、前記手乾燥室７４内の水滴を前記手乾燥室７４の底面部７８周縁の少なくとも一縁部から下方へ排出する排水経路８０を前記手乾燥室７４下方の前記本体ケーシング７１の外表部に設けた。【選択図】図９
2006026424.tif 000002
【特許請求の範囲】
【請求項１】
電動送風機が内蔵された箱状の本体ケーシングと、手を乾燥するため前記本体ケーシング内に設けられた手乾燥室と、前記手乾燥室内に手を挿入するため前記本体ケーシングの前面に開設された開口部と、前記電動送風機から送給される空気流を前記手乾燥室内に挿入された手に向かって吹き出すために設けられたノズルとを備えた手乾燥装置において、前記手乾燥室内の水滴を前記手乾燥室の底面部周縁の少なくとも一縁部から下方へ排出する排水経路を前記手乾燥室下方の前記本体ケーシングの外表部に設けたことを特徴とする手乾燥装置。
【請求項２】
前記排水経路を前記本体ケーシングの外表部に設けるとともに、前記排水経路を覆う着
脱可能なカバーを設けたことを特徴とする請求項１記載の手乾燥装置。
【請求項３】
前記排水経路は、前記本体ケーシングの外表部に形成された前記手乾燥室の底面部に連
通する排水溝であることを特徴とする請求項１または２記載の手乾燥装置。
【請求項４】
前記手乾燥室の底面部に、該底面部の中央から周縁に向かって下り勾配の傾斜面または
前記底面部周縁の一縁部から他縁部に向かって下り勾配の傾斜面を設けたことを特徴とす
る請求項１〜３のいずれかに記載の手乾燥装置。
【請求項５】
前記排水経路を経由して流下する水滴を排水経路の下端に対応させて回収する水受け部
を前記手乾燥室の下方に配設するとともに、前記排水経路を本体ケーシングの内方に向け
緩かに傾斜するよう入り込ませたことを特徴とする請求項１〜４のいずれかに記載の手乾
燥装置。
【請求項６】
前記手乾燥室の底面部から前記排水経路に連係する部分を、緩かな曲面としたことを特
徴とする請求項１〜５のいずれかに記載の手乾燥装置。
【発明の詳細な説明】
【技術分野】
【０００１】
本発明は、鉄道の駅、ホテル、映画館あるいは大型商業施設などの各種公共施設のトイ
レや洗面所などに設置される手乾燥装置に関する。
【背景技術】
【０００２】
近年、鉄道の駅、ホテル、映画館あるいは大型商業設備などの公共施設のトイレや洗面
所などには、水洗いした後の濡れた手を所定の場所に挿入すると、自動的に吹き出す空気
流によって乾燥することのできる手乾燥装置が設置されていることが多い。従来の手乾燥
装置はトイレや洗面所の壁面に取り付けられ、上面に設けられた開口部から手乾燥室内へ
濡れた手を挿入すると、内蔵された電動送風機が自動的にＯＮして手乾燥室内へ空気流が
吹き出し、この空気流により、手に付着した水を吹き飛ばしながら乾燥するものが代表的
である（例えば、特許文献１〜３参照。）。
【０００３】
特許文献１に記載された手乾燥装置の場合、手乾燥室内に差し込まれた濡れた手から吹
き飛ばされた水滴は、手乾燥室の奥底部に設けられた排水口へ流れ込んだ後、排水口に接
続されたドレンホース内を落下して、装置の下部に内蔵されたドレンタンクに回収される
ようになっている。
【０００４】
特許文献２に記載された手乾燥装置の場合、濡れた手から吹き飛ばされた水滴は空気流
とともに吸気口に吸入され、循環経路の回収部流路で空気流にのって下方へ加速され、環
流部への屈曲位置において、慣性により水滴回収口の位置に落下分離され、ドレンタンク
に回収されるようになっている。
【０００５】
特許文献３に記載された手乾燥装置の場合、濡れた手から飛散した水滴は空気流ととも
に吸気口に吸入され、慣性により下方の壁面に衝突し、ドレン穴およびドレンパイプを通
って、装置本体外へ排出されるようになっている。
【０００６】
【特許文献１】特許第３１４８４３５号公報
【特許文献２】特開２００２-３４８４４号公報
【特許文献３】特開２００１-１０４２１１号公報
【発明の開示】
【発明が解決しようとする課題】
【０００７】
特許文献１に記載された手乾燥装置における排水口に接続されたドレンホース内部や、
特許文献２，３に記載された手乾燥装置における循環経路内部において、夫々の内部に付
着した排水中の汚れや、その汚れ内で繁殖した雑菌により悪臭が発生するという問題があ
った。これらを清掃しようとしても、ドレンホースや循環経路が手乾燥装置の内部に設け
られた構造であるため簡単に清掃をし難いという問題があった。
【０００８】
また、特許文献１に記載された手乾燥装置における手挿入部奥側の底面部は排水回収の
ため両端縁部に形成された排水口に向かう傾斜面とし、底面部の端縁部には立上部を形成
しているため、底面部と立上部との境界部分に溜まった汚れの清掃には、その汚れを掬い
取らなければならず手間がかり、汚れが残ってしまうことがあった。
【０００９】
本発明が解決しようとする課題は、悪臭発生のもととなる排水経路や、汚れの気になる
手乾燥室の底面部の清掃がし易い手乾燥装置を提供することにある。
【課題を解決するための手段】
【００１０】
電動送風機が内蔵された箱状の本体ケーシングと、手を乾燥するため前記本体ケーシン
グ内に設けられた手乾燥室と、前記手乾燥室内に手を挿入するため前記本体ケーシングの
上面または正面に開設された開口部と、前記電動送風機から送給される空気流を前記手乾
燥室内に挿入された手に向かって吹き出すために設けられたノズルとを備えた手乾燥装置
において、前記手乾燥室内の水滴を前記手乾燥室の底面部周縁の少なくとも一縁部から下
方へ排出する排水経路を前記手乾燥室下方の前記本体ケーシングの外表部に設けたことを
特徴とする。
【００１１】
このような排水経路を手乾燥室下方の本体ケーシングの外表部に設けた構成とすれば、
排水経路に付着した汚れを外部から簡単に拭き取ることができるため清掃が容易となる。
また、簡単に清掃することができるので、定期的な清掃を行いやすくなり、悪臭発生を予
防することができる。
【００１２】
請求項２の発明は、前記排水経路を前記本体ケーシングの外表部に設けるとともに、前
記排水経路を覆う着脱可能なカバーを設けたことを特徴とする。
【００１３】
このようなカバーを本体ケーシングに装着した構成とすれば、外表部に配置した排水経
路に水滴が滴下している状態や滴下残跡が外側から被覆され外部に露出しなくなるため、
外観が良好となる。また、排水経路から水滴が飛散するおそれもなくなるため、設置した
周辺の環境を清潔に維持することができる。そして、清掃の際には、カバーを本体ケーシ
ングから離脱させればよく、排水経路もカバーも容易に清掃することができる。
【００１４】
請求項３の発明は、前記排水経路が、前記本体ケーシング外表部に形成された前記手乾
燥室の底面部に連通する排水溝であることを特徴とする。
【００１５】
このような排水溝を設けた構成とすれば、排水溝に沿って水滴が落下し、排水溝以外の
外表部を汚さずに済むため、清掃は排水溝だけでよくなり、さらに清掃が簡単となる。
【００１６】
請求項４の発明は、前記手乾燥室の底面部に、該底面部の中央から周縁に向かって下り
勾配の傾斜面または前記底面部周縁の一縁部から他縁部に向かって下り勾配の傾斜面を設
けたことを特徴とする。
【００１７】
このように、底面部の中央から周縁に向かって下り勾配の傾斜面とする構成、または底
面部周縁の一縁部から他縁部に向かって下り勾配の傾斜面とする構成とすれば、空気流の
方向と手乾燥室の底面部の下り方向の傾斜面が同方向となり、水滴が空気流により押し戻
されることなく底面部に落下した水滴を排水経路に向かって速やかに誘導することができ
るようになるので、手乾燥室内の排水性がさらに向上する。また、このような構成とすれ
ば、底面部の清掃の際、傾斜面に沿って拭き下して清掃することができるようになるため
、従来のように、隅にたまった汚れを拭き上げて掬い取ったりする手間を省くことができ
る。
【００１８】
請求項５の発明は、前記排水経路を経由して流下する水滴を排水経路の下端に対応させ
て回収する水受け部を前記手乾燥室の下方に配設するとともに、前記排水経路を本体ケー
シングの内方に向け緩かに傾斜するよう入り込ませたことを特徴とする。
【００１９】
このような排水経路を本体ケーシングの内方に向け緩かに傾斜する構成とすれば、排水
経路を通って流下した水滴を排水経路の下端に対応させた水受け部で確実に回収すること
ができるため、手乾燥装置周辺への水分の漏洩を防止することができる。また、水受け部
を小さくすることができるため、デザイン的に良好となる。
【００２０】
請求項６の発明は、前記手乾燥室の底面部から前記排水経路に連係する部分を、緩やか
な曲面としたことを特徴とする。
【００２１】
このような緩かな曲面とする構成とすれば、手乾燥室の底面部に付着した水滴は、空気
流によって吹き流される際にも表面張力で曲面上を伝って排水経路へ流下していくため、
底面部から排水経路に流下する間に吹き飛んで底面上から離脱することがなくなる結果、
手乾燥装置の周辺に水滴が飛散して汚すことがない。
【発明の効果】
【００２２】
本発明により、悪臭発生のもととなる排水経路や、汚れの気になる手乾燥室の底面部の
清掃がし易い手乾燥装置を提供することができる。
【発明を実施するための最良の形態】
【００２３】
以下、図面に基づいて、本発明の第１実施形態である手乾燥装置について説明する。図
１は本発明の第１実施形態である手乾燥装置を洗面所に設置した状態を示す斜視図、図２
は前記手乾燥装置を示す斜視図、図３は前記手乾燥装置の一部分解斜視図、図４は図２の
Ａ-Ａ線における断面図である。
【００２４】
図１に示すように、本実施形態の手乾燥装置１は、例えば、洗面所などの壁面Ｗに設置
されている水栓２１付きの洗面器２０の側方に設置され、水栓２１および洗面器２０を利
用して手を洗った人が、濡れた手を乾燥するために使用するものである。
【００２５】
図２〜図４に示すように、手乾燥装置１は、電動送風機７５が内蔵された箱状の本体ケ
ーシング２と、手を乾燥するため本体ケーシング２内に設けられた手乾燥室４と、手乾燥
室４内に手を挿入するため本体ケーシング２の上面に開設された開口部３と、電動送風機
から送給される空気流を手乾燥室４内に挿入された手に向かって吹き出すために背面部材
１０に水平方向に直線状に等間隔に列設された複数のノズル５と、を備えている。そして
、ノズル５の下方には、手乾燥室４内に挿入された手を検知するためのセンサ１２が配置
されている。
【００２６】
また、手乾燥室４を構成する本体ケーシング２の右側面には上部側面カバー７ａおよび
下部側面カバー８ａが着脱可能に装着され、上部側面カバー７ａには、水滴の通過を防止
するルーバー６を有する台形状の通気口９が設けられている。なお、本体ケーシング２の
左側面にも上部側面カバー７ａおよび下部側面カバー８ａと鏡面対称な形状を有する上部
側面カバー７ｂおよび下部側面カバー８ｂが着脱可能に装着されている。
【００２７】
図３，図４に示すように、手乾燥室４内の底面部１４の左右の端縁部１５ａ，１５ｂに
連通してそれぞれ排水経路１７ａ，１７ｂが設けられている。底面部１４の左右の端縁部
１５ａ，１５ｂは緩やかな曲面（望ましくは曲率半径２ｍｍ以上）となっており、底面部
１４と排水経路１７ａ，１７ｂとを繋いでいる。また、本体ケーシング２の外表部の排水
経路の外側には着脱可能に下部側面カバー８ａ，８ｂが設けられている。
【００２８】
排水経路１７ａ，１７ｂは溝形状となっており、底面部１４に対して略垂直方向に配置
され、下部側面カバー８ａ，８ｂを本体ケーシング２から離脱させたときに露出し、それ
ぞれの下端部は回収容器１１の回収口１１ａ，１１ｂに臨む位置に配置されている。また
、図３に示すように、排水経路１７ａ，１７ｂの下部は緩やかな曲線状を描いて内方に向
けて入り込み、回収口１１ａ，１１ｂに至っている。
【００２９】
手乾燥装置１の使い方は、濡れた手を開口部３から手乾燥室４内へ挿入すると、センサ
１２がそれを検知して電動送風機７５が自動的に作動して複数のノズル５から一斉に空気
流が吹き出し、手に付着している水分を吹き飛ばすことによって手を乾燥する。
【００３０】
複数のノズル５から手乾燥室４内へ吹き出された空気流は濡れた手に当接して下方へ進
行し、手乾燥室４内の底面部１４に当接して底面部１４に沿って外側に曲がり、上部側面
カバー７ａ，７ｂの通気口９から速やかに外部へ排出される。したがって、開口部３から
空気流が吹き返すことがなく、また、開口部３から水滴が飛散することがないので、快適
に手の乾燥をすることができる。
【００３１】
前述したように、手乾燥室４内に挿入された手から飛散した水滴は、手乾燥室４の内壁
に付着または手乾燥室４内の底面部１４に落下し、内壁に付着した水滴はノズル５から吹
き出す空気流に押されて底面部１４に集められた後、底面部１４に落下した水滴とともに
ノズル５から吹き出す空気流に押されて更に底面部１４の左右の端縁部１５ａ，１５ｂへ
流下し、更に排水経路１７ａ，１７ｂを回収口１１ａ，１１ｂに流入し、回収容器１１内
に回収される。
【００３２】
このように水分は電動送風機や電子基板などが内蔵された本体ケーシング２の外表部を
伝って流下して排出されるため、本体ケーシング内に配設されたドレンホースから本体ケ
ーシングに内蔵された電動送風機や電子基板等に漏水や浸水が発生することはない。
【００３３】
また、図３で示したように、本体ケーシング２から下部側面カバー８ａ，８ｂを離脱さ
せると、排水経路１７ａ，１７ｂが外表部へ露出するので、排水経路１７ａ，１７ｂの部
分を拭くことにより簡単に清掃を行うことができる。
【００３４】
なお、上部側面カバー７ａ，７ｂと下部側面カバー８ａ，８ｂとはそれぞれ上下に２分
割されているが、これに限定されるものではないので、上下合わせて一体としたものとし
てもよい。
【００３５】
図４に示すように、手乾燥室４内の底面部１４は、底面部１４の中央から左右方向に向
かって下り勾配をなす屋根形状の傾斜面を設けている。このため、底面部１４に落下した
水滴は傾斜面に沿って重力落下で流れ、更にノズル５から吹き出された底面部１４に沿っ
て外側に向かう空気流により吹き流されるため、左右の端縁部１５ａ，１５ｂに向かって
速やかに誘導されることとなり、手乾燥室４内の排水性向上を図ることができる。
【００３６】
排水経路１７ａ，１７ｂの下端付近は、本体ケーシング２の内方に向け緩に傾斜するよ
う入り込ませ、それに対応させる位置に回収容器１１の回収口１１ａ，１１ｂを配置して
いる。したがって、回収容器１１を本体ケーシング２からはみ出ることなく形成すること
ができるだけでなく、また、本体ケーシング２より小さく形成することができる。このた
め、手乾燥装置１は、スッキリとしたデザインとなり美観を損なわず、且つ床などを汚す
こともなく清潔性を維持することができる。
【００３７】
次に、図５を参照して、本発明の第２実施形態である手乾燥装置について説明する。な
お、図５に示す手乾燥装置の構成部材において、前述した手乾燥装置１の構成部材と同じ
構造、機能を有する部材は図１〜図４に示す符号と同じ符号を付して説明を省略する。
【００３８】
図５に示す第２実施形態の手乾燥装置２５においては、第１実施形態と同じ形態である
が、底面部５４の傾斜形状を相違させている。手乾燥室４の底面部２４には、その左端縁
部１５ｂから右端縁部１５ａに向かって下り勾配をなす傾斜面を設け、右端縁部１５ａに
は排水経路１７ａへ水分を誘導するための曲面Ｒを設けている。
【００３９】
従来の手乾燥装置においては、手乾燥室の底面の両側部付近に設けたドレンホースから
排水するようにしたものがあるが、側面からの水分の横漏れを防止するため側面部を隆起
させており、掃除の際、隆起部が邪魔になって掃除がし難かった。しかしながら、手乾燥
装置１および２５によれば、底面部１４または底面２４の清掃の際、傾斜面に沿って拭き
下すことで、従来のような隅にたまった汚れを拭き上げて掬い取ったりする手間を省くこ
とができ、清掃を簡単に済ませることができる。
【００４０】
手乾燥装置２５においては、右端縁部１５ａ、排水経路１７ａおよび回収容器１１の回
収口１１ａを本体ケーシングの右側のみに配置しているため、例えば、装置２５の左側に
清掃作業のスペースを確保できない場所に設置する場合に好適である。なお、手乾燥装置
の左側のみに左端縁部、排水経路および回収容器の回収口を配置した構造とすることも可
能である。
【００４１】
次に、図６〜図９を参照して、本発明の第３〜６実施形態である手乾燥装置について説
明する。図６は本発明の第３実施形態である手乾燥装置を示す斜視図、図７は本発明の第
４実施形態である手乾燥装置を示す斜視図、図８は本発明の第５実施形態である手乾燥装
置を示す一部切欠側面図、図９は本発明の第６実施形態である手乾燥装置を示す斜視図で
ある。なお、図６〜図９に示す手乾燥装置の構成部材において、前述した手乾燥装置１の
構成部材と同じ構造、機能を有する部材は図１〜図４に示す符号と同じ符号を付して説明
を省略する。
【００４２】
図６に示す手乾燥装置４０においては、本体ケーシング４２の側面部材４２ａを一体的
に形成させ、側面部材４２ａの上方にはルーバー６を備えた通気口９が、側面部材４２ａ
の通気口９の下方には手乾燥室４の底面部１４の幅寸に合わせた排水溝４４が、下端部分
を回収容器１１の回収口１１ａに臨ませるように形成されている。また、排水溝４４の上
部の底面を一部切り欠け、切り欠けた底面上端と手乾燥室４の底面部１４とは、底面部１
４の右端縁部４３ａに形成された曲面Ｒで連通し、底面部１４と排水溝４４とを繋げてい
る。
【００４３】
第１実施形態の場合と同様、手乾燥室４内において手から吹き飛ばされ底面部１４に落
下した水滴は、右端縁部４３ａから排水溝４４を伝わって流下し、回収口１１ａから回収
容器１１に流入する。手乾燥装置４０の場合、排水溝４４が外部に露出しているため、汚
れを直ちに発見することが可能であり、カバーなどを取り外す必要がなく清掃が容易であ
る。
【００４４】
次に、図７に示す手乾燥装置５０においては、本体ケーシング５２の側面部材５２ａの
通気口９の下方に、手乾燥室４の底面の幅寸に合わせてスリット状の排水口５４が形成さ
れている。また、排水口５４の下端と手乾燥室４の底面の右端縁部５３ａとは曲面Ｒで連
係し、排水口５４に繋がっている。これにより、水滴は排水口５４より本体ケーシング５
２の側面部材５２ａの外表部を伝って流下する。
【００４５】
手乾燥装置５０の場合、排水口５４が外部に露出しているため、汚れを直ちに発見する
ことが可能であることに加え、側面部材５２ａの外表部に溝などが形成されていないため
、デザイン的にもスッキリしたものとなる。
【００４６】
次に、図８に示す手乾燥装置６０においては、手乾燥室４の底面部６１を正面側に向か
って下り勾配の傾斜面とし、底面部６１の前縁部分から垂直下方に垂下する排水経路６３
を本体ケーシング６２に設け、排水経路６３の下端部分を、最下部に配置された回収容器
１１に連通させている。手乾燥室４内において手から吹き飛ばされ底面部６１に落下した
水滴は、その下り勾配に沿って前縁方向（正面側）へ移動した後、排水経路６３内を流下
して、回収容器１１内へ回収される。
【００４７】
一般に、手乾燥装置の両サイドに手洗い器等が配置されている場合、手乾燥装置の両サ
イドからの清掃がし難くなるが、手乾燥装置６０の排水経路６３は正面に位置しているた
め、清掃作業が極めて容易である。即ち、手乾燥装置６０の場合、排水経路６３が本体ケ
ーシング６２の正面部分に配置されており、本体ケーシング６２の前面を覆う正面カバー
６２ａを取り外せば排水経路６３が正面に露出した状態となるため、清掃作業が極めて容
易である。
【００４８】
本実施形態の手乾燥装置６０においては、排水経路６３は溝形状であり、底面部６１の
中央付近から垂直に１本設けているが、これに限定するものではないので、複数の排水経
路を設けることも可能である。また、排水経路は溝形状に限定するものではないので、本
体ケーシング６２の前面部分全体に幅広く排水経路を設けることもできる。
【００４９】
次に、図９に示す手乾燥装置７０においては、本体ケーシング７１と、本体ケーシング
７１の前面に設けられた開口部７２と、開口部７２から手を挿入して乾燥するための手乾
燥室７４とを備え、手乾燥室７４の上方には電動送風機７５が内蔵されている。また、電
動送風機７５から送給される空気流を手乾燥室７４に吹き出して、手乾燥室７４に挿入さ
れた手に吹き付けるためのノズル７６が手乾燥室７４の天井部分の前縁寄りの位置に配置
されている。また、手乾燥室７４の上方には、開口部７２から手乾燥室７４に差し込まれ
た手を検知するセンサ７７が配置されている。
【００５０】
また、手乾燥室７４の底面部７８全体を前縁部分に向かって下り勾配に傾斜させるとと
もに、その前縁部分に、底面部７８よりも急な下り勾配をなす垂下部７８ａを設けること
により、前縁部材７９と垂下部７８ａとの間に排水経路８０を形成している。前縁部材７
９は、底面部７８の下方に形成されている、水を回収するための回収容器８１と一体的に
形成されており、着脱可能に装着されている。
【００５１】
開口部７２から手乾燥室７４内へ手が差し込まれると、センサ７７がそれを検知して自
動的に電動送風機７５が作動し、手乾燥室７４内にある手に向かって空気流を吹き付け、
手の表面の水を吹き飛ばしたり、蒸発させたりすることによって手を乾燥する。手から吹
き飛ばされた水は底面部７８で受け止められ、底面部７８の下り勾配に沿って前縁部分へ
移動していき、垂下部７８ａから排水経路８０を経由して回収容器８１に流れ込むように
なっている。手乾燥室７４から手を抜き取ると、センサ７７がそれを検知して自動的に電
動送風機７５を停止する。
【００５２】
なお、手乾燥室７４の左右側面には、それぞれ側面部材８２が配置され、これらの側面
部材８２には、ルーバー８４を有する通気口８３が設けられている。通気口８３は、ノズ
ル７６から吹き出した空気流が開口部７２から吹き返さないように、手乾燥室７４内の空
気流を速やかに排出する機能を有する。遮水手段でもあるルーバー８４は、手乾燥室７４
内で吹き飛ばされた水滴が、通気口８３から直接飛散しないように水滴の飛散経路を遮蔽
するものである。
【００５３】
前述したように、手乾燥室７４においては、手乾燥室７４内に挿入された手から飛散し
た水滴は、手乾燥室７４の底面部７８に落下した後、底面部７８の垂下部７８ａから前縁
部分にある排水経路８０を経由して回収容器８１内へ流下するため、水滴を速やかに手乾
燥室７４の外へ排出することができ、これによって装置内への水分の浸入も防止すること
ができる。また、清掃も容易であり、部品点数が少なく、全体的にコンパクトなサイズと
することができる。
【００５４】
また、排水経路８０は手乾燥室７４の底面部７８の前縁部分に配設されているため、清
掃の際に回収容器８１を外して雑巾などで底面部７８から続けて垂下部７８ａに拭き下ろ
せば、同時に排水経路８０の清掃も完了する。このように、手乾燥装置７０は、簡単且つ
十分に清掃をすることができるため、常に清潔に維持することができる。
【産業上の利用可能性】
【００５５】
本発明の手乾燥装置は、鉄道の駅、ホテル、映画館あるいは大型商業施設などの各種公
共施設のトイレや洗面所などに設置して広く利用することができる。
【図面の簡単な説明】
【００５６】
【図１】本発明の第１実施形態である手乾燥装置を洗面所に設置した状態を示す斜視図である。
【図２】図１に示す手乾燥装置の斜視図である。
【図３】図１に示す手乾燥装置の一部分解斜視図である。
【図４】図２のＡ-Ａ線における垂直断面図である。
【図５】本発明の第２実施形態である手乾燥装置を示す垂直断面図である。
【図６】本発明の第３実施形態である手乾燥装置を示す斜視図である。
【図７】本発明の第４実施形態である手乾燥装置を示す斜視図である。
【図８】本発明の第５実施形態である手乾燥装置を示す一部切欠側面図である。
【図９】本発明の第６実施形態である手乾燥装置を示す斜視図である。
【符号の説明】
【００５７】
１，２５，４０，５０，６０，７０  手乾燥装置
２，４２，５２，６２，７１  本体ケーシング
３，７２  開口部
４，７４  手乾燥室
５  ノズル
６，８４  ルーバー
７ａ，７ｂ  上部側面カバー
８ａ，８ｂ  下部側面カバー
９，８３  通気口
１０  背面部材
１１，８１  回収容器
１１ａ，１１ｂ  回収口
１２，７７  センサ
１４，２４，６１，７８  底面部
１５ａ，１５ｂ，４３ａ，４３ｂ，５３ａ，５３ｂ  端縁部
１６ａ，１６ｂ，３６ａ  導水部材
１７ａ，１７ｂ，３７ａ，６３，８０  排水経路
２０  洗面器
２１  水栓
４２ａ，５２ａ，８２  側面部材
４４  排水溝
５４  排水口
６２ａ  正面カバー
７５  電動送風機
７６  ノズル
７８ａ  垂下部
７９  前縁部材
Ｒ  曲面
Ｗ  壁面
【図１】
2006026424.tif 000003
【図２】
2006026424.tif 000004
【図３】
2006026424.tif 000005
【図４】
2006026424.tif 000006
【図５】
2006026424.tif 000007
【図６】
2006026424.tif 000008
【図７】
2006026424.tif 000009
【図８】
2006026424.tif 000010
【図９】
2006026424.tif 000011